(57)【要約】【課題】  広範な音楽に関する情報を、容易に取り扱うことのできる、データサイトを提供すること。【解決手段】  音楽に関する情報を管理するにあたり、顧客システムを介して前記音楽に関する情報を要求する、個人および事業体による顧客に対し提供するとともに、前記顧客からの情報を収集する。さらに、前記顧客要求に従って物販処理を行う。また、前記情報の収集、提供に伴い、音楽情報に関する著作権者をキーワードして、情報を集約する。【選択図】図１
2015201191.tif 000002
【特許請求の範囲】
【請求項１】
音楽情報に関し、情報の提供を要求する顧客の情報を収集する手段と、
前記収集した顧客情報を第１の記憶として格納する手段と、
前記顧客の指示に従って情報群から第１の検索により情報収集する手段と、
前記第１の検索により収集した情報のなかから前記顧客が希望する情報を選択させる手段と、
前記第１の検索により収集した情報と前記選択させたことに関する情報とを第２の記憶として格納する手段と、
前記第２の記憶として格納した情報の収集にあたり前記情報群から前記第１の検索により収集した情報の識別子を特定する手段と、
すべての顧客に関し、前記特定した識別子を第３の記憶として格納する手段と、
前記特定した識別子に係る情報群のうち著作権者情報を記憶する情報群における識別子を特定する手段と、
前記著作権者情報を記憶する情報群における前記特定した識別子を第４の記憶として格納する手段と
を備えたことを特徴とするマクロ音楽サイトシステム。
【請求項２】
前記第４の記憶として格納した前記特定した識別子に従って前記著作権者情報を記憶する情報群から著作権者情報を収集する手段と、
前記収集した著作権者情報と前記収集した著作権者情報に従い第２の検索により前記著作権者を記憶する情報群から収集した著作権者情報とを第５の記憶として格納する手段と、
前記第５の記憶として格納した情報に識別子を付与する手段と、
前記付与した識別子を第６の記憶として格納する手段と
をさらに備えたことを特徴とする請求項１記載のマクロ音楽サイトシステム。
【請求項３】
前記第５の記憶として格納した情報を前記第５の記憶として格納した情報に含まれる著作権者情報をそれぞれの識別子として付与した上で第７の記憶として格納する手段
をさらに備えたことを特徴とする請求項２記載のマクロ音楽サイトシステム。
【請求項４】
前記第７の記憶として格納した前記識別子を指定することにより前記第７の記憶として格納した情報を提供する手段
をさらに備えたことを特徴とする請求項３記載のマクロ音楽サイトシステム。
【請求項５】
前記第３の記憶として格納した情報と前記第３の記憶として格納した情報に関する顧客からの希望の多い順に係る情報とを第８の記憶として格納する手段と、
前記第８の記憶として格納した情報を提供する手段と、
前記提供した情報に係る代金回収処理を行う手段と
をさらに備えたことを特徴とする請求項１記載のマクロ音楽サイトシステム。
【請求項６】
前記第２の記憶として格納した情報に従い物販を行う手段と、
前記行った物販に係る代金回収処理を行う手段と
をさらに備えたことを特徴とする請求項１もしくは５記載のマクロ音楽サイトシステム。
【請求項７】
音楽情報に関し、情報の提供を要求する顧客の情報を収集する手段と、
前記収集した顧客情報を第１の記憶として格納する手段と、
前記顧客の指示に従って情報群から第１の検索により情報収集する手段と、
前記第１の検索により収集した情報のなかから前記顧客が希望する情報を選択させる手段と、
前記第１の検索により収集した情報と前記選択させたことに関する情報とを第２の記憶として格納する手段と、
前記第２の記憶として格納した情報の収集にあたり前記情報群から前記第１の検索により収集した情報の識別子を特定する手段と、
すべての顧客に関し、前記特定した識別子を第３の記憶として格納する手段と、
前記特定した識別子に係る情報群のうち著作権者情報を記憶する情報群における識別子を特定する手段と、
前記著作権者情報を記憶する情報群における前記特定した識別子を第４の記憶として格納する手段と
として機能させることを特徴とするマクロ音楽サイトシステムのプログラム。
【請求項８】
前記第４の記憶として格納した前記特定した識別子に従って前記著作権者情報を記憶する情報群から著作権者情報を収集する手段と、
前記収集した著作権者情報と前記収集した著作権者情報に従い第２の検索により前記著作権者を記憶する情報群から収集した著作権者情報とを第５の記憶として格納する手段と、
前記第５の記憶として格納した情報に識別子を付与する手段と、
前記付与した識別子を第６の記憶として格納する手段と
としてさらに機能させることを特徴とする請求項７記載のマクロ音楽サイトシステムのプログラム。
【請求項９】
前記第５の記憶として格納した情報を前記第５の記憶として格納した情報に含まれる著作権者情報をそれぞれの識別子として付与した上で第７の記憶として格納する手段
としてさらに機能させることを特徴とする請求項８記載のマクロ音楽サイトシステムのプログラム。
【請求項１０】
前記第７の記憶として格納した前記識別子を指定することにより前記第７の記憶として格納した情報を提供する手段
としてさらに機能させることを特徴とする請求項９記載のマクロ音楽サイトシステムのプログラム。
【請求項１１】
前記第３の記憶として格納した情報と前記第３の記憶として格納した情報に関する顧客からの希望の多い順に係る情報とを第８の記憶として格納する手段と、
前記第８の記憶として格納した情報を提供する手段と、
前記提供した情報に係る代金回収処理を行う手段と
としてさらに機能させることを特徴とする請求項７記載のマクロ音楽サイトシステムのプログラム。
【請求項１２】
前記第２の記憶として格納した情報に従い物販を行う手段と、
前記行った物販に係る代金回収処理を行う手段と
としてさらに機能させることを特徴とする請求項７もしくは１１記載のマクロ音楽サイトシステムのプログラム。
【請求項１３】
音楽情報に関し、情報の提供を要求する顧客の情報を収集し、
前記収集した顧客情報を第１の記憶として格納し、
前記顧客の指示に従って情報群から第１の検索により情報収集し、
前記第１の検索により収集した情報のなかから前記顧客が希望する情報を選択させ、
前記第１の検索により収集した情報と前記選択させたことに関する情報とを第２の記憶として格納し、
前記第２の記憶として格納した情報の収集にあたり前記情報群から前記第１の検索により収集した情報の識別子を特定し、
すべての顧客に関し、前記特定した識別子を第３の記憶として格納し、
前記特定した識別子に係る情報群のうち著作権者情報を記憶する情報群における識別子を特定し、
前記著作権者情報を記憶する情報群における前記特定した識別子を第４の記憶として格納する
ことを備えたことを特徴とするマクロ音楽サイトシステムの制御方法。
【請求項１４】
前記第４の記憶として格納した前記特定した識別子に従って前記著作権者情報を記憶する情報群から著作権者情報を収集し、
前記収集した著作権者情報と前記収集した著作権者情報に従い第２の検索により前記著作権者を記憶する情報群から収集した著作権者情報とを第５の記憶として格納し、
前記第５の記憶として格納した情報に識別子を付与し、
前記付与した識別子を第６の記憶として格納する
ことをさらに備えたことを特徴とする請求項１３記載のマクロ音楽サイトシステムの制御方法。
【請求項１５】
前記第５の記憶として格納した情報を前記第５の記憶として格納した情報に含まれる著作権者情報をそれぞれの識別子として付与した上で第７の記憶として格納する
ことをさらに備えたことを特徴とする請求項１４記載のマクロ音楽サイトシステムの制御方法。
【請求項１６】
前記第７の記憶として格納した前記識別子を指定することにより前記第７の記憶として格納した情報を提供する
ことをさらに備えたことを特徴とする請求項１５記載のマクロ音楽サイトシステムの制御方法。
【請求項１７】
前記第３の記憶として格納した情報と前記第３の記憶として格納した情報に関する顧客からの希望の多い順に係る情報とを第８の記憶として格納し、
前記第８の記憶として格納した情報を提供し、
前記提供した情報に係る代金回収処理を行う
ことをさらに備えたことを特徴とする請求項１３記載のマクロ音楽サイトシステムの制御方法。
【請求項１８】
前記第２の記憶として格納した情報に従い物販を行い、
前記行った物販に係る代金回収処理を行う
ことをさらに備えたことを特徴とする請求項１３もしくは１７記載のマクロ音楽サイトシステムの制御方法。
【請求項１９】
請求項７乃至１２のうちいずれか１項記載のプログラムを搭載した記録媒体。
【発明の詳細な説明】
【技術分野】
【０００１】
本願発明は広範な音楽サイトに係る、マクロ音楽サイトシステム、マクロ音楽サイトシステムの制御方法、マクロ音楽サイトシステムのプログラム及び記録媒体に関する。
【背景技術】
【０００２】
現在の音楽情報は、旧来のような、楽譜等の書籍による情報、あるはレコード、コンパクトディスク（以下、ＣＤと省略）やラジオ放送による音情報だけでなく、テレビ放送、映像を伴った音楽媒体に関する情報、生（ライブ）のステージ公演情報、ヒット曲に関するランキング情報等々、多様化の一途を辿っている。
【０００３】
また、カラオケの普及に伴い、カラオケ装置の高機能化が進み、単に各人が好みの楽曲を歌うことから、より広い様々なサービスが提供されている。例えば、カラオケを歌うときに、楽曲にふさわしい衣装で歌うためのサービスや、背景を選択できるサービスが現実のものと成っている。
【０００４】
このようは状況から、カラオケのみならず、一般に浸透しつつある音楽環境は、単に音楽の枠にとどまらず、例えばファッション業界、飲食業界、宝飾業界等、多岐に渡る分野と連携し、益々多様性を有する文化として、発展している。特に、昨今の年少者における、日本文化の世界的な拡がりは、国境を越えた世界的な規模となりつつある。
【０００５】
一方、パソコンのみならず、各種携帯装置等の発展普及に伴い、音楽以外の各種情報も含め、容易に入手できる環境が整っているが、特に音楽に関する各情報は、分野別に細分化されていることが多く、例えばカラオケの情報を検索中に、ライブ等の公演日程を検索しようとすると、カラオケに関するサイトから、ステージ情報に関するサイトへ移動する等、その都度操作する必要がある。
【先行技術文献】
【特許文献】
【０００６】
【特許文献１】特開２００１−６７３６４号公報
【特許文献２】特開２００２−１０８３４８号公報
【特許文献３】特開２００１−２２８８８４号公報
【発明の概要】
【発明が解決しようとする課題】
【０００７】
従来技術は、特開２００１−６７３６４号公報で公開されているように、テキスト、画像、音楽等、複数のデータベース管理方法に関し、技術開示されているが、特に音楽の曲名を特定することに限定され、広範な音楽全般に関する情報を扱うことまでは配慮されていない。
【０００８】
また、特開２００２−１０８３４８号公報で公開されているように、コンテンツ（音楽）、特にレコード、ＣＤに関し、ジャケット写真、アーティスト情報、著作者、原盤制作者、出版社、実演家等の情報を統一された識別子（管理コード、識別コード、取扱コード、コードとも称する）としてのコードによって管理する方法に関し、技術開示されているが、レコード、ＣＤ等の、音楽媒体作成、販売等に関する情報に限定され、広範な音楽全般に関する情報を扱うことまでは配慮されていない。
【０００９】
さらにまた、特開２００１−２２８８８４号公報で公開されているように、通信手段を応用したカラオケシステムを利用してカラオケデータの他に、音楽データや映像データ等、様々なコンテンツを配信することができ、かつ必要に応じて配信されたデータをその場で購入、代金決済を可能とする購買システムに関し、技術開示されているが、対象とする分野が音楽関係に限定され、例えばファッション業界との連携等に関しては配慮されておらず、また音楽に関するさまざまな著作物としてのコンテンツを指定する方法について具体的な技術思想が開示されていない。
【００１０】
このように、音楽関係のデータベース等は、それぞれの用途に応じて、多数存在するだけでなく、例えば作曲者、作詞者等、すでに確定して場合には、基本的に変更されない情報であるのに対し、例えば歌手による演奏会の日時、会場、空席状況等は、ＣＤ、書籍等の在庫状況は、常に変更される可能性がある。このように、それぞれの内容が異なっているだけでなく、細分化された情報の現状に鑑み、広範な音楽に関する情報を容易に取り扱うことができるだけでなく、音楽以外の広範な分野に対する情報に関するデータサイトを提供することを目的とする。
【課題を解決するための手段】
【００１１】
このように上記課題を解決するため、本願は音楽に関連する情報群すなわちデータベース（ＤＢとも称する）を連携する仕組みを構築することで各ＤＢの情報を有機的に活用することが可能となることに注目する。即ち、本発明に係るマクロ音楽サイトシステムにおいては、
音楽情報に関し、情報の提供を要求する顧客の情報を収集する手段と、
前記収集した顧客情報を第１の記憶として格納する手段と、
前記顧客の指示に従って情報群から第１の検索により情報収集する手段と、
前記第１の検索により収集した情報のなかから前記顧客が希望する情報を選択させる手段と、
前記第１の検索により収集した情報と前記選択させたことに関する情報とを第２の記憶として格納する手段と、
前記第２の記憶として格納した情報の収集にあたり前記情報群から前記第１の検索により収集した情報の識別子を特定する手段と、
すべての顧客に関し、前記特定した識別子を第３の記憶として格納する手段と、
前記特定した識別子に係る情報群のうち著作権者情報を記憶する情報群における識別子を特定する手段と、
前記著作権者情報を記憶する情報群における前記特定した識別子を第４の記憶として格納する手段と
を備える。
【００１２】
前記第４の記憶として格納した前記特定した識別子に従って前記著作権者情報を記憶する情報群から著作権者情報を収集する手段と、
前記収集した著作権者情報と前記収集した著作権者情報に従い第２の検索により前記著作権者を記憶する情報群から収集した著作権者情報とを第５の記憶として格納する手段と、
前記第５の記憶として格納した情報に識別子を付与する手段と、
前記付与した識別子を第６の記憶として格納する手段と
をさらに備える。
【００１３】
前記第５の記憶として格納した情報を前記第５の記憶として格納した情報に含まれる著作権者情報をそれぞれの識別子として付与した上で第７の記憶として格納する手段
をさらに備える。
【００１４】
前記第７の記憶として格納した前記識別子を指定することにより前記第７の記憶として格納した情報を提供する手段
をさらに備える。
【００１５】
前記第３の記憶として格納した情報と前記第３の記憶として格納した情報に関する顧客からの希望の多い順に係る情報とを第８の記憶として格納する手段と、
前記第８の記憶として格納した情報を提供する手段と、
前記提供した情報に係る代金回収処理を行う手段と
をさらに備える。
【００１６】
前記第２の記憶として格納した情報に従い物販を行う手段と、
前記行った物販に係る代金回収処理を行う手段と
をさらに備える。
【００１７】
また本発明はマクロ音楽サイトシステムのプログラムとしても実現することができる。即ち、本発明に係るマクロ音楽サイトシステムのプログラムは、
音楽情報に関し、情報の提供を要求する顧客の情報を収集する手段と、
前記収集した顧客情報を第１の記憶として格納する手段と、
前記顧客の指示に従って情報群から第１の検索により情報収集する手段と、
前記第１の検索により収集した情報のなかから前記顧客が希望する情報を選択させる手段と、
前記第１の検索により収集した情報と前記選択させたことに関する情報とを第２の記憶として格納する手段と、
前記第２の記憶として格納した情報の収集にあたり前記情報群から前記第１の検索により収集した情報の識別子を特定する手段と、
すべての顧客に関し、前記特定した識別子を第３の記憶として格納する手段と、
前記特定した識別子に係る情報群のうち著作権者情報を記憶する情報群における識別子を特定する手段と、
前記著作権者情報を記憶する情報群における前記特定した識別子を第４の記憶として格納する手段と
として機能する。
【００１８】
前記第４の記憶として格納した前記特定した識別子に従って前記著作権者情報を記憶する情報群から著作権者情報を収集する手段と、
前記収集した著作権者情報と前記収集した著作権者情報に従い第２の検索により前記著作権者を記憶する情報群から収集した著作権者情報とを第５の記憶として格納する手段と、
前記第５の記憶として格納した情報に識別子を付与する手段と、
前記付与した識別子を第６の記憶として格納する手段と
としてさらに機能する。
【００１９】
前記第５の記憶として格納した情報を前記第５の記憶として格納した情報に含まれる著作権者情報をそれぞれの識別子として付与した上で第７の記憶として格納する手段
としてさらに機能する。
【００２０】
前記第７の記憶として格納した前記識別子を指定することにより前記第７の記憶として格納した情報を提供する手段
としてさらに機能する。
【００２１】
前記第３の記憶として格納した情報と前記第３の記憶として格納した情報に関する顧客からの希望の多い順に係る情報とを第８の記憶として格納する手段と、
前記第８の記憶として格納した情報を提供する手段と、
前記提供した情報に係る代金回収処理を行う手段と
としてさらに機能する。
【００２２】
前記第２の記憶として格納した情報に従い物販を行う手段と、
前記行った物販に係る代金回収処理を行う手段と
としてさらに機能する。
【００２３】
さらに本発明はマクロ音楽サイトシステムの制御方法としても実現することができる。即ち、本発明に係るマクロ音楽サイトシステムの制御方法は、
音楽情報に関し、情報の提供を要求する顧客の情報を収集し、
前記収集した顧客情報を第１の記憶として格納し、
前記顧客の指示に従って情報群から第１の検索により情報収集し、
前記第１の検索により収集した情報のなかから前記顧客が希望する情報を選択させ、
前記第１の検索により収集した情報と前記選択させたことに関する情報とを第２の記憶として格納し、
前記第２の記憶として格納した情報の収集にあたり前記情報群から前記第１の検索により収集した情報の識別子を特定し、
すべての顧客に関し、前記特定した識別子を第３の記憶として格納し、
前記特定した識別子に係る情報群のうち著作権者情報を記憶する情報群における識別子を特定し、
前記著作権者情報を記憶する情報群における前記特定した識別子を第４の記憶として格納する
ことを特徴とする。
【００２４】
前記第４の記憶として格納した前記特定した識別子に従って前記著作権者情報を記憶する情報群から著作権者情報を収集し、
前記収集した著作権者情報と前記収集した著作権者情報に従い第２の検索により前記著作権者を記憶する情報群から収集した著作権者情報とを第５の記憶として格納し、
前記第５の記憶として格納した情報に識別子を付与し、
前記付与した識別子を第６の記憶として格納する
ことをさらに特徴とする。
【００２５】
前記第５の記憶として格納した情報を前記第５の記憶として格納した情報に含まれる著作権者情報をそれぞれの識別子として付与した上で第７の記憶として格納する
ことをさらに特徴とする。
【００２６】
前記第７の記憶として格納した前記識別子を指定することにより前記第７の記憶として格納した情報を提供する
ことをさらに特徴とする。
【００２７】
前記第３の記憶として格納した情報と前記第３の記憶として格納した情報に関する顧客からの希望の多い順に係る情報とを第８の記憶として格納し、
前記第８の記憶として格納した情報を提供し、
前記提供した情報に係る代金回収処理を行う
ことをさらに特徴とする。
【００２８】
前記第２の記憶として格納した情報に従い物販を行い、
前記行った物販に係る代金回収処理を行う
ことをさらに特徴とする。
【発明の効果】
【００２９】
本発明の一実施態様においては、広範な音楽のみならず、音楽に係る他分野に関する情報を収集する場合に、様々なシステムに対し、効率的にアクセスすることができる。
【図面の簡単な説明】
【００３０】
【図１】本発明の一実施形態に係るマクロ音楽サイトシステム全体の機能ブロック図である。
【図２】本発明の一実施形態に係る管理システムの構成図である。
【図３】本発明の一実施形態に係る顧客システムの構成図である。
【図４】本発明の一実施形態に係る顧客管理データテーブルである。
【図５】本発明の一実施形態に係る顧客別検索内容データテーブルである。
【図６】本発明の一実施形態に係る検索画面データテーブルである。
【図７】本発明の一実施形態に係るカラオケ検索コード一覧である。
【図８】本発明の一実施形態に係るカラオケ情報管理データテーブルである。
【図９】本発明の一実施形態に係る項目別関連情報データテーブルである。
【図１０】本発明の一実施形態に係る本発明の一実施形態に係るシステム概略図である。
【発明を実施するための形態】
【００３１】
以下、参考のため図面を参照して、本発明の概要について説明する。図１０は、本発明の一実施形態に係るマクロ音楽サイトシステムの概略図である。マクロ音楽サイトシステム１００は、全体を統合する音楽総合ポータルサイト管理システム１００１、音楽原盤を提供する各社がコンテンツの管理を行うコンテンツ管理システム群１００２、音楽総合ポータルサイト管理システム１００１を経由して、音楽に関する各種情報を交換する、例えば、ユーザ対応システム１００３１、リアル店舗対応システム１００３２、バーチャル対応システム１００３３等を備えて構成される。
【００３２】
図１は、本発明に係るマクロ音楽サイトシステムの構成概要を示す機能ブロック図である。本発明に係るマクロ音楽サイトシステムは、例えばいわゆるクラウドコンピューティングによりネットワーク１０を介して管理システム２０、顧客システム３０とが結び付いて構成される。その他、必要に応じて、原曲著作権管理システム２０１、原盤権管理システム２０２、関連システム２０４等とネットワーク１０を介して接続されるものとする。なお、関連システム２０４は、例えば、金融機関システム、音楽原盤管理システム、画像管理システム、映画の倫理関連システム等、本願に関連するすべてのシステムを含むものとする。さらに、図１と図１０の関係であるが、音楽総合ポータルサイト管理システム１００１が管理システム２０、コンテンツ管理システム群１００２が原盤権管理システム２０２および関連システム２０４の対応し、さらに、ユーザ対応システム１００３１、リアル店舗対応システム１００３２、バーチャル対応システム１００３３等には、顧客システム３０が配置されていることになる。
【００３３】
次に、図２に従って管理システム２０の詳細を説明する。同図に示すように、管理システム２０は、管理装置データベース（以下、「管理装置ＤＢ」という。）２１、管理装置サーバ２２、管理出力装置２３、管理入力装置２４、管理装置インターフェース２６を備えて構成されている。管理装置サーバ２２は、マクロ音楽サイトシステムに関するデータの処理を行い、管理装置ＤＢ２１はマクロ音楽サイト業務データを記憶する。管理出力装置２３は、ディスプレイ、プリンタ等を備えて構成され、必要に応じて各種情報を出力する。また、管理入力装置２４は、キーボード、バーコードリーダ、スキャナ等から構成され、必要に応じて情報の入力を行うが、情報の入力を可能するすべての装置を含むものとする。なお、管理システム２０は最終的に管理システムの業務遂行を可能とするのであれば、単独でも複数のシステムから構成されていても、かまわない。
【００３４】
次に、図３に従って顧客システム３０の詳細を説明する。同図に示すように、顧客システム３０は、顧客装置メモリ３１、顧客装置プロセッサ３２、顧客出力装置３３、顧客入力装置３４、顧客装置インターフェース３６を備えて構成されている。顧客装置プロセッサ３２は管理システム２０から送られる情報に従って顧客出力装置３３に情報を表示する。顧客出力装置３３は、ディスプレイ、プリンタ等を備えて構成され、必要に応じて各種情報を出力する。また、顧客入力装置３４は、キーボード、バーコードリーダ、スキャナ、カメラ、マイク等を備えて構成され、必要に応じて情報の入力を行うが、情報の入力を可能するすべての装置を含むものとする。顧客入力装置３４では、必要に応じてキーボード等からの入力情報を受け取り、これを顧客出力装置３３に表示し、必要に応じて、顧客入力装置３４に表示された情報等を顧客装置インターフェース３６を介して管理システム２０に送信する。管理システム２０では送信された情報に従って、マクロ音楽サイトシステム処理を行い、さらなる情報を必要とするなら、顧客システム３０の顧客出力装置３３に、その旨表示するものとする。なお、顧客システム３０は、据置型でも可搬型でもかまわない。なお、上記に示す管理システム２０、顧客システム３０以外の、例えば、原曲著作権管理システム２０１、原盤権管理システム２０２、関連システム２０４等、プログラムにより制御されるシステム、各種装置等も、管理システム２０、携帯端末システム３０等と同様なハードウェア構成を有し、プログラムにより制御されるものとする。
【００３５】
以上、本発明の概要および構成を示した。次に、本発明の詳細および動作について説明する。本願によるマクロ音楽システムでは、音楽に関する各種情報を検索し、あるいは検索結果から検索した物品を購入する顧客を支援するシステムであるが、まず、本願システムにアクセスした顧客の情報を格納する、図４に示す顧客管理データテーブル４０について、以下の通り説明する。
【００３６】
顧客管理データテーブル４０は、顧客項目欄４２、顧客１情報欄４３００１、顧客２情報欄４３００２、顧客３情報欄４３００３、・・・等を備え、さらに、顧客項目欄４２は、管理番号欄４２１、登録年月日／時間欄４２２、ユーザ名欄４２３、パスワード欄４２４、アドレス欄４２５等を備えて構成される。なお、顧客管理データテーブル４０は、例えば管理装置ＤＢ２１に格納されたプログラムに従って管理装置サーバ２２により、関連する情報から算出した情報、または、管理出力装置２３のディスプレイに表示する顧客管理データテーブル設定画面（図示せず）に従って、例えば管理システム２０の管理入力装置２４のキーボードから操作者により入力された情報を、管理装置ＤＢ２１に格納されたプログラムに従い、管理装置サーバ２２により、管理装置ＤＢ２１上に格納するものとする。また、同様な処理を、例えば関連システム２０４で行い、その結果を、例えばネットワーク１０を介して、管理システム２０へ送信してもかまわない。さらに、顧客管理データテーブル設定画面（図示せず）は、顧客管理データテーブル４０と同一形式を有するものとする。さらに、必要に応じて、顧客管理データテーブル４０の内容に従った顧客管理データテーブル表示画面（図示せず）を、例えば管理システム２０の管理出力装置２３に表示するものとする。
【００３７】
次に、顧客管理データテーブル４０に格納する各種情報の内容について説明する。まず、顧客項目欄４２の、管理番号欄４２１には「管理番号」、登録年月日時間欄４２２には「登録年月日／時間欄」、ユーザ名欄４２３には「ユーザ名」、パスワード欄４２４には「パスワード」、アドレス欄４２５には「アドレス」という情報を、それぞれ格納する。顧客１情報欄４３００１の管理番号欄４２１には、例えば本願システムを導入した事業体における顧客管理番号として、「１５０３００００１」という情報を格納する。なお、前記顧客番号は、本願システムにおける顧客を識別するためのコードとなる。次に、顧客１情報欄４３００１の登録年月日時間欄４２２には、顧客１からの最初の問合せ、または顧客登録が行われた登録年月日が、例えば西暦２０１５年３月１日の午前９時３３分であったとすると、「２０１５．０３．０１．０９．３３」という情報を、同じくユーザ名欄４２３には、例えば顧客１のユーザ名がｋｕ４５６７であったとすると、「ｋｕ４５６７」という情報を、パスワード欄４２４には、例えば顧客１のパスワードがｍｈ２１３４であったとすると、「ｍｈ２１３４」という情報を、アドレス欄４２５には、例えば顧客１のメールアドレスがａｂ＿ｃｄｅｆ＠・・・．ｊｐであったとすると、「ａｂ＿ｃｄｅｆ＠・・・．ｊｐ」という情報を、それぞれ格納する。以下顧客１情報欄４３００１と同様に、顧客２情報欄４３００２、顧客３情報欄４３００３、・・・の各欄にも、顧客に関する情報を格納するものとする。なお、前記説明で、各情報として、例えば数字および文字により情報を表記してあっても、格納する情報は、例えば文字コード、各事業体等で独自に設定したコード等の情報であっても、あるいは独自に設定したコード等の情報を付加したものであってもかまわない。
【００３８】
次に、各顧客の検索内容を格納する顧客別検索内容データテーブル５０について、図５に従って説明する。顧客別検索内容データテーブル５０は、対象となる顧客の管理番号、ユーザ名等を格納する顧客情報欄５１、顧客別検索内容を管理する顧客別検索管理欄５２、顧客が行った検索内容に関する各種情報を格納する、検索内容１欄５２００１、検索内容２欄５２００２、検索内容３欄５２００３、・・・等を備え、さらに、顧客別検索管理欄５２は、項番欄５２１、問合年月日時間年月日時間欄５２２、対象欄５２３、対応時間欄５２４、取扱会社欄５２５、取扱コード欄５２６、・・・、選択欄５２８等を備えて構成される。なお、顧客別検索内容データテーブル５０は、例えば管理装置ＤＢ２１に格納されたプログラムに従って管理装置サーバ２２により、関連する情報から算出した情報、または、管理出力装置２３のディスプレイに表示する顧客別検索内容データテーブル５０設定画面（図示せず）に従って、例えば管理システム２０の管理入力装置２４のキーボードから操作者により入力された情報を、管理装置ＤＢ２１に格納されたプログラムに従い、管理装置サーバ２２により、管理装置ＤＢ２１上に格納するものとする。また、顧客別検索内容データテーブル設定画面（図示せず）は、顧客別検索内容データテーブル５０と同一形式を有するものとする。さらに、必要に応じて、顧客別検索内容データテーブル５０の内容に従った顧客別検索内容データテーブル表示画面（図示せず）を、例えば管理システム２０の管理出力装置２３に表示するものとする。
【００３９】
次に、顧客別検索内容データテーブル５０の各欄に格納する、情報について説明する。まず、対象となる顧客に関する情報が新規登録かどうか判断し、新規顧客登録の場合には、新規に顧客別検索内容データテーブル５０を作成することとして、顧客情報欄５１には、顧客情報として、例えば顧客の管理番号が１５０３００００１でユーザ名がｋｕ４５６７であったとすると「管理番号：１５０３００００１  ユーザ名：ｋｕ４５６７」という情報を格納する。さらに、顧客別検索管理欄５２の項番欄５２１には「項番」、問合せ年月日時間欄５２２には「問合せ年月日／時間」、対象欄５２３には「対象」、対応時間欄５２４には「対応時間」、取扱会社欄５２５には「取扱会社」、取扱コード欄５２６には「取扱コード」、選択欄５２８には「選択」という情報を、それぞれ格納する。次に具体的な検索内容として、検索内容１欄５２００１の、項番欄５２１には、例えば顧客による最初の問合せの最初の項目であったとすると「００１−００１」、問合せ年月日時間年月日時間欄５２２には、例えば顧客による問合せ年月日が西暦２０１５年３月１日、問合せ時間が９時３３分であったとすると「２０１５．０３．０１．０９．３３」、対象欄５２３には、例えば顧客による問合せがカラオケであったとすると「カラオケ」、対応時間欄５２４には、例えば対応時間が１分３２秒であったとすると「１分３２秒」、取扱会社欄５２５には、例えば問い合せのカラオケの取扱い会社がＡＢＣカラオケであったとすると「ＡＢＣカラオケ」、取扱コード欄５２６には、例えば、取り扱い会社における対象コードが８７６１２であったとすると「８７６１２」、選択欄５２８には、後述する顧客選択に従って、例えば「○」という情報を、それぞれ格納する。以降、管理番号１５０３００００１の顧客からの問い合せがあると、検索内容１欄５２００１に準じて、検索内容２欄５２００２、検索内容３欄５２００３、・・・に順次問合せに関する情報を格納するものとする。なお、顧客別検索内容データテーブル５０に関する各情報格納処理の詳細は、顧客管理データテーブル４０に準ずるものとする。
【００４０】
以上、顧客別検索内容データテーブル５０に格納する情報について、概要の説明を行ったが、以下に、格納する具体的な情報について、図６に示す、検索画面データテーブル６０に従い説明する。まず、検索画面データテーブル６０は、顧客情報欄６２、検索データ欄６３、詳細情報１欄６４、詳細情報２欄６５、詳細情報３欄６６、・・・等を備え、さらに検索データ欄６３は、検索データ１番欄６３１１、検索データ２番欄６３１２、検索データ３番欄６３１３、検索データ４番欄６３１４、・・・等を備え、またさらに、表示欄６３１、検索データ１列欄６３２１、検索データ２列欄６３２２、検索データ３列欄６３２３、・・・、等を備え、さらに、各詳細情報欄６４、６５、・・・、等には、例えば詳細情報２欄６５の、詳細情報２応答１欄６５１、詳細情報２応答２欄６５２等に示すような応答欄をさらに備えて構成される。なお、検索画面データテーブル６０は、例えば管理装置ＤＢ２１に格納されたプログラムに従って管理装置サーバ２２により、管理装置ＤＢ２１に格納する。また、検索画面データテーブル６０の情報は、関連する情報から算出した情報、または、顧客装置プロセッサ３２により、顧客装置メモリ３１に格納されたプログラムに従い、顧客出力装置３３のディスプレイに表示する検索画面データテーブル入力画面に従って、例えば顧客システム３０の顧客入力装置３４のキーボードから、例えば操作者である顧客により入力された情報を、顧客装置メモリ３１上に格納し、その結果を、例えばネットワーク１０を介して、管理システム２０へ送信した情報を、例えば管理装置ＤＢ２１に格納されたプログラムに従って管理装置サーバ２２により、管理装置ＤＢ２１に格納するものとする。さらに、顧客別検索内容データテーブル入力画面は、図６０の検索画面枠６１に囲まれた検索画面データテーブルと同一形式を有するものとする。さらに、必要に応じて、検索画面データテーブル６０の内容に従った検索画面データテーブル表示画面（図示せず）を、例えば管理システム２０の管理出力装置２３およびに顧客システム３０の顧客出力装置３３のディスプレイに表示するものとする。なお、検索画面データテーブル６０に関する各情報格納処理の詳細は、顧客管理データテーブル４０、顧客別検索内容データテーブル５０等に準ずるものとする。
【００４１】
前記のような構成を有する検索画面データテーブル６０に格納する情報と、顧客別検索内容データテーブル５０に格納する情報の関連について、以下の通り説明する。検索画面データテーブル６０の顧客情報欄６２には、別途顧客確認を行った結果から、例えば顧客管理データテーブル４０の顧客１情報欄４３００１に格納した情報に従い、例えば「ユーザ名  ｋｕ４５６７」という情報を格納する。次に、顧客により検索を行うものとすると、検索データ欄６３の、例えば検索データ１列欄６３２１の検索データ１番欄６３１１には「カラオケ」、検索データ２番欄６３１２には「ジャケット」、・・・等の検索対称となる情報を、それぞれ格納する。なお、検索データ欄６３に表示する情報は、例えば顧客からの検索希望が多い項目順により格納してもかまわない。あるいは、検索データ欄６３に表示したもの以外の検索が求められて場合（後述）には、この情報をあらたに格納してもかまわない。操作者である顧客は、前記表示内容に従って、例えばカラオケに関する検索を希望する場合、前記の「カラオケ」を押下する。顧客システム３０では、顧客装置メモリ３１に格納されたプログラムに従い、顧客装置プロセッサ３２によって、前記の通り押下された情報を検知し、その結果を、例えばネットワーク１０を介して、管理システム２０へ送信する。管理システム２０は、カラオケに関する検索が希望されていることから、例えば詳細情報１欄６４に「カラオケ曲を歌って下さい。」という情報を格納する。前記格納した情報に従って、例えば顧客は、顧客出力装置３３のディスプレイに表示した情報に従い、例えば、顧客入力装置３４のマイク（図示せず）に向かって、カラオケの一節を歌う。顧客システム３０は、前記音声情報を、例えばネットワーク１０を介して管理システム２０に送信し、管理システム２０では、送信された音声情報を解析して、カラオケ楽曲を選定する。なお、この解析処理は、例えばネットワーク１０を介して関連システム２０４で行い、その結果を管理システム２０に送信してもかまわない。あるいは、検索画面データテーブル６０の内容に従った検索画面データテーブル表示画面（図示せず）に、例えばカラオケ曲名等、検索に必要は情報を操作者に入力させ解析しても、かまわない。前記カラオケ曲の解析結果が、例えば歌手○×の歌う「雨はふらない」という曲の可能性が高い場合には、検索データ欄６３等と同様に、詳細情報２欄６５へ、例えば「○×の歌う「雨はふらない」ですか。」と格納する。このとき、例えば前記表示の右端に「はい」６５１、「いいえ」６５２という情報を格納し、顧客が、「はい」６５１を押下した場合、この情報を管理システム２０へ送信し、管理システム２０では、例えば、ネットワーク１０を介して、原曲著作権管理システム２０１、原盤権管理システム２０２、関連システム２０４等の情報群であるデータベース等を検索し、その結果、該当するカラオケが３曲あった場合には、さらに詳細情報３欄６６に、例えば「カラオケは３種類あります。どれですか。」と格納する。このとき、例えば前記表示の右端に「１」６６１、「２」６６２、「３」６６３という情報を格納する。このとき、顧客により「３」６６３が押下されたとすると、この押下情報を、「はい」６５１と同様に管理システム２０へ送信する。
【００４２】
前記の通り顧客による検索内容は、例えば検索対象がカラオケであることから、例えば検索内容１欄５２００１、検索内容２欄５２００２、検索内容３欄５２００３の対象欄５２３に、それぞれ「カラオケ」という情報を格納する。さらに、管理システム２０
は、前記の通り、例えばネットワーク１０を介して、原曲著作権管理システム２０１、原盤権管理システム２０２、関連システム２０４等の情報群であるデータベース等を検索し、その結果から、例えば検索内容１欄５２００１のカラオケ楽曲の取り扱い会社がＡＢＣカラオケであった場合、取扱会社欄５２５に、例えば「ＡＢＣカラオケ」という情報を格納し、またさらに、例えば取り扱い会社におけるコードが８７６１２であった場合、取扱コード欄５２６に、例えば「８７６１２」という情報を格納する。以下、検索内容１欄５２００１と同様に、検索内容２欄５２００２、検索内容３欄５２００３、・・・の各項目欄に、情報を格納するものとする。なお、例えば前記の通り、顧客によるカラオケ検索の結果、「３」６６３が押下されたことにより、検索内容３欄５２００３の選択欄５２８に、例えば「○」という情報を格納する。以上、カラオケに関する検索について説明したが、例えば、検索画面データテーブル入力画面からＣＤのジャケットに関する検索が依頼された場合も、前記カラオケと同様に、各データベース等を検索し、その結果を顧客別検索内容データテーブル５０、検索画面データテーブル６０に情報として格納するものとする。このように、例えばカラオケに関する検索結果から、顧客が選択したカラオケ曲が特定された場合、例えばカラオケ曲を歌うことのできるカラオケ店等の情報について、前記の通り、各データベース等を検索し、その結果を例えば顧客システム３０の顧客出力装置３３のディスプレイ等に表示してもかまわない。また、前記選択されたジャケットが、ポスター等に作成されていて、例えば関連システム２０４を介して入手可能である場合には、前記カラオケ店情報と同様に、入手方法等を顧客に知らせてもかまわない。さらに、これら、サービス、情報のみの売買を含む物販等を、例えばニアフィールドコミュニケーション（以下、ＮＦＣと省略）等により代金回収等の業務そのものを、例えば関連システム２０４等に依頼、または管理システム２０により代行し、物販等の実績情報を、別途、例えばデータテーブル（図示でず）に格納してもかまわない。また、物販等に伴い、例えば著作権に関する代金回収を行う必要がある場合には、例えばネットワーク１０等を介して、原曲著作権管理システム２０１、原盤権管理システム２０２、関連システム２０４等に問い合わせし、例えば著作権を管理する団体等との支払い処理を代行してもかまわない。
【００４３】
このように、顧客からの要求に基づき収集した、音楽に関する各種情報は、例えば顧客別かつ時系列的に、例えば顧客別検索内容データテーブル５０に格納するが、この情報から、例えばカラオケの情報を抜き出して格納する、カラオケ検索コード一覧７０について、図７に従って説明する。カラオケ検索コード一覧７０は、対象となる検索一覧、および検索コード番号等を格納する検索一覧情報欄７１、検索一覧情報内容を管理するコード一覧管理欄７２、カラオケ検索の内容に関する各種情報を格納する、カラオケ検索内容１欄７３００１、カラオケ検索内容２欄７３００２、カラオケ検索内容３欄７３００３、・・・等を備え、さらに、コード一覧管理欄７２は、コード枝番欄７２１、管理番号欄７２２、取扱会社欄７２３、取扱コード欄７２４、管理コード欄７２５等を備えて構成される。なお、カラオケ検索コード一覧７０は、例えば管理装置ＤＢ２１に格納されたプログラムに従って管理装置サーバ２２により、関連する情報から算出した情報、または、管理出力装置２３のディスプレイに表示するカラオケ検索コード一覧設定画面（図示せず）に従って、例えば管理システム２０の管理入力装置２４のキーボードから操作者により入力された情報を、管理装置ＤＢ２１に格納されたプログラムに従い、管理装置サーバ２２により、管理装置ＤＢ２１上に格納するものとする。また、カラオケ検索コード一覧設定画面（図示せず）は、カラオケ検索コード一覧７０と同一形式を有するものとする。さらに、必要に応じて、カラオケ検索コード一覧７０の内容に従ったカラオケ検索コード一覧表示画面（図示せず）を、例えば管理システム２０の管理出力装置２３に表示するものとする。
【００４４】
次に、カラオケ検索コード一覧７０の各欄に格納する、情報について説明する。まず、対象となる情報が新規検索かどうか判断し、新規顧客による検索の場合には、新規にカラオケ検索コード一覧７０を作成することとする。なお、例えば、後述の通りＣＤ等のジャケットに関する検索が新規に検索され、その結果を格納する場合には、ジャケット検索コードに関する一覧を新規に作成し、また、例えばライブ演奏に関する検索が新規に検索され、その結果を格納する場合には、ライブ検索コードに関する一覧を新規作成するが、ここではカラオケ検索コード一覧を例に説明するものとする。まず、検索一覧情報欄７１には、カラオケ検索コード一覧の情報であることを示す、例えば「カラオケ検索コード一覧：ＫＮＪＰ−ＩＹ０−１５」という情報を格納する。さらに、検索一覧情報欄７１のコード枝番欄７２１には「コード枝番」、管理番号欄７２２には「管理番号」、取扱会社欄７２３には「取扱会社」、取扱コード欄７２４には「取扱コード」、管理コード欄７２５には「管理コード」という情報を、それぞれ格納する。次に具体的な検索内容として、カラオケ検索内容１欄７３００１の、コード枝番欄７２１には、例えばカラオケ検索の最初の項目であったとすると、「００００１」、管理番号欄７２２には、例えば顧客の管理番号が１５０３００００１−００１−００１であったとすると、「１５０３００００１−００１−００１」という情報を格納するが、前記コードの後半に示す枝番「００１−００１」は、例えば顧客別検索内容データテーブル５０の検索内容１欄５２００１の項番欄５２１に格納した情報と一致している。次に、例えば取扱い会社がＡＢＣカラオケであったとすると、取扱会社欄７２３に、例えば「ＡＢＣカラオケ」、例えば取り扱い会社におけるコードが８７６１２であった場合、取扱コード欄７２４に、例えば「８７６１２」という情報を格納する。さらに、管理コード欄７２５に、後述の通り、識別子である管理コードをそれぞれ格納する。すなわち、管理コード欄７２５には、例えば、前記の通りデータベース（ＤＢ）等を検索して収集した情報の、該当するデータベースにおける識別子である識別コードを特定した結果として、例えばＧＢＪＰ−ＮＶ０−０９−３４８７６、ＧＢＪＰ−ＮＶ０−１０−１２３４５、・・・等が得られた場合には、例えば「ＧＢＪＰ−ＮＶ０−０９−３４８７６、ＧＢＪＰ−ＮＶ０−１０−１２３４５、・・・」という情報を格納する。なお、前記識別子である管理コードを特定するために、例えばカラオケの曲名、歌手等をキーワードとして使用する場合、音楽に関連する著作権を管理するデータベース等に問い合わせてもかまわない。また、前記諸作権を管理するデータベースが複数存在する場合は複数のデータベースに問い合わせてもかまわない。以降、カラオケ検索内容１欄７３００１と同様に、カラオケ検索内容２欄７３００２カラオケ検索内容３欄７３００３、・・・に順次問い合せに関する情報を格納するものとする。このように、各種情報をカラオケ検索コード一覧７０に格納するが、特に管理コード欄７２５に格納する情報は、例えばＡＢＣカラオケの８７６１２というカラオケ曲に関する情報のうちもっとも重要なデータベースが、例えば著作権を管理するデータベースであったとすると、このデータベースにおけるカラオケ曲の識別コードである、例えばＧＢＪＰ−ＮＶ０−０９−３４８７６という情報を格納し、さらに、関連する各データベースの識別コードを順次格納する。なお、管理コード欄７２５の格納する識別子である識別コードとしては、例えばカラオケの原曲の著作権に関するデータベースによる識別コード、録音原盤に関するデータベースにおける識別コード、またはカラオケ曲そのものの録音原盤に関するデータベースにおける識別コード等である。さらに、これら識別子である識別コードの格納順番は、例えば、後述するカラオケ情報管理データテーブル８０に格納する情報の重要度を考慮して、データベースの順番を決定してもよい。さらに、定期的に、例えばカラオケ曲に関連するデータベースが新設されているかどうか確認するとともに、前記関連する各データベースの内容を精査し、各データベース間の重要度に変化があった場合には、これに応じて並べ替えてもかまわない。なお、カラオケ検索コード一覧７０に関する各情報格納処理の詳細は、顧客管理データテーブル４０、顧客別検索内容データテーブル５０に準ずるものとする。
【００４５】
このように、カラオケ検索コード一覧７０は、例えば顧客別にかつ時系列的に顧客別検索内容データテーブル５０へ格納した、問い合せのなかからカラオケに関する情報を抜き出した情報であるが、特に管理コード欄７２５に格納する情報が重要となる。例えば、カラオケ検索内容１欄７３００１、カラオケ検索内容２欄７３００２、カラオケ検索内容３欄７３００３の管理番号欄７２２に格納した情報の枝番が、それぞれ「００１−００１」、「００１−００２」、「００１−００３」であることは、例えば管理番号１５０３００００１の顧客からの「００１−」の問い合わせにおいて、「−００１」、「−００２」、「−００３」の３つの情報提供を行ったことを示し、提供内容としては、例えば検索画面データテーブル６０に示す通り、アーティスト名○×の歌う「雨はふらない」という原曲に関するカラオケが、例えば「ＡＢＣカラオケ」、「ＸＹＺカラオケ」、「ＩＹＯカラオケ」の３社から提供さえていることを示す。このことは、前記３つのカラオケは、同一アーティスト、作曲者、作詞者等による作品であり、この作品に関する所作権関係が同一データベース上で管理されているとすると、前記３つのカラオケの原曲に関する著作権を管理するデータベース上の識別コードも同一である。このため、例えば、カラオケ検索内容１欄７３００１、カラオケ検索内容２欄７３００２、カラオケ検索内容３欄７３００３の各管理コード欄７２５に格納した管理コードには、すべて、例えば著作権に関するデータベースで付番された「ＧＢＪＰ−ＮＶ０−０９−３４８７６」という識別コード情報を含むこととなる。このように、顧客別検索内容データテーブル５０およびカラオケ検索コード一覧７０において、複数の情報として取り扱われていても、１つの情報に集約することが可能となる。ただし、同一アーティスト、作曲者、作詞者等による作品に関するカラオケであったとしても、例えばカラオケへの編曲を行った編曲者が異なる場合等、編曲に関する著作権者の異なる場合があり、例えば音楽録音に関する原盤権を管理するデータベース上で、個別の音楽録音原盤と認識されている場合にも、データベースに関して複数の識別コードが存在することとなる。さらに、たとえカラオケ曲として存在していても、例えば著作権に関するデータベース、録音を識別管理するデータベース原盤権を管理するデータベース等に登録されていないものもあり、そのため、同一アーティスト、作曲者、作詞者等によるカラオケ曲が複数あった場合、これらに共通する識別コードが存在しないこととなる。この場合、検索一覧情報欄７１に格納した、例えば「カラオケ検索コード一覧：ＫＮＪＰ−ＩＹ０−１５」という情報が、カラオケ検索コード一覧７０に格納したすべてのカラオケに関する、共通の識別コードとなる。なお、例えばカラオケ情報の関し集約した情報を格納し、さらにカラオケだけに限定せず、例えば著作権に関するデータベース上で、特定の識別コードにより指定される情報の主たるアーティスト、作曲者、作詞者、曲名に関連する音楽に関する情報を格納する、音楽情報管理データテーブル８０について、図８に従って、以下の通り説明する。
【００４６】
音楽情報管理データテーブル８０は、例えば対象となるカラオケを管理するコードを格納する管理コード欄８１、音楽情報管理データテーブルを管理する管理欄８２、カラオケに関する各種情報を格納する、オリジナル管理コード欄８３００１、関連管理コード欄８３００２、アーティスト名欄８３００３、・・・等を備え、さらに、管理欄８２コードは、項目欄８２１、詳細欄８２２、優先度欄８２３等を備えて構成される。なお、音楽情報管理データテーブル８０は、例えば管理装置ＤＢ２１に格納されたプログラムに従って管理装置サーバ２２により、関連する情報から算出した情報、または、管理出力装置２３のディスプレイに表示する音楽情報管理データテーブル設定画面（図示せず）に従って、例えば管理システム２０の管理入力装置２４のキーボードから操作者により入力された情報を、管理装置ＤＢ２１に格納されたプログラムに従い、管理装置サーバ２２により、管理装置ＤＢ２１上に格納するものとする。また、音楽情報管理データテーブル設定画面（図示せず）は、音楽情報管理データテーブル８０と同一形式を有するものとする。さらに、必要に応じて、音楽情報管理データテーブル８０の内容に従った音楽情報管理データテーブル表示画面（図示せず）を、例えば管理システム２０の管理出力装置２３に表示するものとする。
【００４７】
次に、音楽情報管理データテーブル８０の各欄に格納する、情報について説明する。まず、対象となる情報が新規かどうか判断し、新規の場合には、新規に音楽情報管理データテーブル８０を作成することとする。まず、管理コード欄８１には、カラオケ検索結果を集約した情報に関し、例えば本願によるシステムを運用する事業体等で独自に設定した管理コードとして、例えば「管理コード：ＫＮＪＰ−ＩＹ０−１５−００００１」という情報を格納する。さらに、管理欄８２の項目欄８２１には「項目」、詳細欄８２２には「詳細」、優先度欄８２３には「優先度」という情報を、それぞれ格納する。次に具体的な検索内容として、オリジナル管理コード欄８３００１には、例えばカラオケ原曲の著作権を管理するデータベースの管理コードがＧＢＪＰ−ＮＶ０−０９−３４８７６であった場合、例えば「ＧＢＪＰ−ＮＶ０−０９−３４８７６」という情報を格納する。なお、前記管理コード欄に格納するコードは、著作権者を管理するデータベース、録音を識別管理するデータベース、映画の倫理に関する審査結果に係るデータベース、各レコード会社、プロダクション、映画配給会社、放送局等の販売情報の関するデータベース、演奏会場管理会社のデータベース、興業会社のデータベース等によるものとする。次に、関連管理コード欄８３００２には、オリジナル管理コード欄８３００１に格納したデータベースの識別コードに指定される情報から検索可能な、例えば録音原盤を管理するデータベース等における識別コード等をすべて格納することとし、例えば「ＧＢＪＰ−ＩＹ０−１０−１２３４５、・・・」という情報を格納する。さらに、アーティスト名欄８３００３には、カラオケ原曲を歌うアーティストが、○×、凸凹、△○□等複数であった場合、あるいは、○×が改名した場合には、改名後の名前を含めた、例えば「○×、凸凹、△○□、・・・」という情報を格納するが、この場合、該当するカラオケ曲を代表するアーティストを最初に格納するものとする。以下同様に、作詞者名欄８３００４には「ＡＢＣＤ」、作曲者欄８３００５には「ＥＦＧＨ」という、該当する情報を格納する。このように、例えば同一のカラオケ曲であって、原曲を歌うアーティストが複数存在する場合においても、同一管理コードである、例えば「ＫＮＪＰ−ＩＹ０−１５−００００１」という情報により一括管理することが可能となる。なお、アーティスト○×ではなく、凸凹を第１優先アーティストとする音楽情報管理データテーブル８０を作成する場合には、例えば前記管理コードの枝番を「００００２」として、別途音楽情報管理データテーブル８０を作成するものとする。
【００４８】
さらに、コンパクトディスク販売会社欄８３１０１には、例えばアーティスト○×によるカラオケ原曲のコンパクトディスクを販売している会社として「日本○×レコード」、在庫状況欄８３１０２には、在庫が有れば、例えば「有り」という情報を格納する。さらに、カラオケ欄８３１５１には、カラオケが、ＡＢＣカラオケ、ＸＹＺカラオケ、ＩＹＯカラオケの各社で取り扱われているとすると、例えば「ＡＢＣカラオケ、ＸＹＺカラオケ、ＩＹＯカラオケ」という情報を、カラオケに関連するビデオディスク（以下、ＤＶＤと省略）を販売している会社として「日本○×レコード」、在庫状況欄８３１５２に例えば「有り」という情報を格納する。またさらに、カラオケに関連する例えばアーティスト○×の演奏会に関する情報に関しては、例えば２０１５年３月３日に凸凹スタジアムで行われる演奏会のチケットが完売であったとすると、演奏会１欄８３３０１に例えば「２０１５．０３．０３  凸凹スタジアム  完売」という情報を格納する。
【００４９】
以上、音楽情報管理データテーブル８０について説明を行ったが、このように、音楽情報管理データテーブル８０には、検索を行った例えばカラオケに関する情報をもとに、各項目へ情報を格納するが、別途、例えば当該カラオケに関連して、当該アーティストの写真集に関する情報について検索を行った結果、例えば著作権を管理するデータベースの管理コード「ＧＢＪＰ−ＮＶ０−０９−３４８７６」による情報として、写真集に関連する所作権者も含まれる場合には、該当する音楽情報管理データテーブル８０の関連管理データ欄８３００２に、該当する写真集の著作権者を管理するデータベースにおける管理コードを追加するとともに、さらに、例えば項目８３００５以降に、該当する著作権者名を追加し、例えば、カラオケに関する著作権データベースにおける識別コードが異なるため、新規に音楽情報管理データテーブル８０を作成する必要がある場合には、前記と同様に、前記管理コードの枝番を変更して、別途音楽情報管理データテーブル８０を作成するものとする。結果として、音楽情報管理データテーブル８０は、顧客により検索された結果に基づき、関連する情報を追加することにより、例えばカラオケに関する検索結果を格納したデータテーブルから、総合的な音楽関連のデータテーブルとして機能するとともに、さらなる情報欄の拡張が必要となった場合には、管理コードの枝番により、管理するものとする。
【００５０】
このように、音楽情報管理データテーブル８０の例えば各項目８３００１〜８３００５、・・・の詳細欄８２２に格納した情報は、前記のような新規検索結果による追加等を除くと、ほぼ固定した情報となる。他方、項目８３１０１以降の情報は、項目８３００１〜８３００５に比較して、より頻繁に変更を行う情報となっている。さらに、項目８３３０１以降の情報は、例えば、演奏会の行われる日付を過ぎると、例えばチケット販売状況は過去の情報となる。音楽情報管理データテーブル８０では、このような各項目に格納する性質に従って、各優先度欄８２３に、優先度に応じて、例えば「１」、「２」、「３」、・・・という情報を格納する。例えば、オリジナル管理コード欄８３００１の優先度欄８２３には、優先度として「１」を格納しているが、これはオリジナル管理コード欄８３００１に格納した情報が、該当する音楽情報管理データテーブル８０において、もっとも優先度の高い情報であることを示している。以下、各優先度欄８２３に、優先度を示す情報を格納するが、優先度の高い情報をもとに、より優先度の低い項目の情報を変更するが、逆に、優先度の低い情報をもとに、より優先度の高い項目の情報を変更することはないものとする。また、同一欄に格納した情報については、例えば最初に格納した情報を優先するものとする。なお、音楽情報管理データテーブル８０に関する各情報格納処理の詳細は、顧客管理データテーブル４０、顧客別検索内容データテーブル５０、カラオケ検索コード一覧７０に準ずるものとする。
【００５１】
これまでの説明により、音楽情報管理データテーブル８０に情報を格納するまでの一連の手順に関して説明したが、前記説明では、例えばカラオケに関する検索結果に基づいて新規作成した音楽情報管理データテーブル８０に、例えば写真集に関する検索結果から得られた情報を追加することに関し説明を行ったが、前記追加は、写真集に限らず、本願により詮索を行った結果すべてについて適用するものとする。さらに、例えば優先度欄８２３に優先度として「１」を格納した情報を除き、それ以下の優先度として位置付けられた各情報に関しては、より上位の優先度を有する項目に格納した、例えばデータベースの管理コード等を検索し、必要に応じて詳細欄８２２の情報を変更してもかまわない。また、有効期限を有する、前記演奏会の情報等は、期限を過ぎた情報を削除してもかまわない。
【００５２】
さらに、最終的に音楽情報管理データテーブル８０において、最上位の優先度を有する情報は、オリジナル管理コード欄８３００１の管理コードによる、例えば著作権を管理するデータベースによる情報であるが、例えば、該当するデータベースを検索しても、例えば該当するアーティスト名と一致する情報が得らなかった場合には、本願によるマクロ音楽サイトシステムを運営する事業体等により、独自に管理する著作権者に関するデータベース等（図示せず）へ管理コード等を設定の上新規登録し、さらに該当する音楽情報管理データテーブル８０のオリジナル管理コード欄８３００１に独自に設定した著作権者に関する管理コードを格納してもかまわない。なお、例えばアーティストが無名時代において、顧客が検索したことにより、有力な著作権管理データベースに登録されていなかったが、その後、前記前記作権管理データベースに登録された場合には、該当する管理コードをオリジナル管理コード欄８３００１に格納し、独自に設定した著作権者に関するデータベース等の管理コードは、例えば関連管理コード欄８３００２に格納してもかまわない。
【００５３】
以上、音楽情報管理データテーブル８０の新規作成、各情報追加について説明したが、最終的に音楽情報管理データテーブル８０は、管理コード欄８１およびオリジナル管理コード欄８３００１に格納した管理コードをキーワードとして、各項目を展開する構造であるが、例えばアーティスト名欄８３００３に格納したアーティスト「○×」に関連する、複数の音楽情報管理データテーブル８０に格納した各項目内容を検索するために使用する、項目別関連情報データテーブル９０について、図９に従って説明する。項目別関連情報データテーブル９０は、例えば対象となる項目名を格納する項目欄９１、項目別関連情報データテーブルを管理する管理欄９２、カラオケに関する各種情報を格納する、オリジナル管理コード欄９３００１、関連管理コード欄９３００２、アーティスト名欄９３００３、・・・等を備え、さらに、管理欄９２は、項目欄９２１、詳細欄９２２等を備えて構成される。なお、項目別関連情報データテーブル９０は、例えば管理装置ＤＢ２１に格納されたプログラムに従って管理装置サーバ２２により、関連する情報から算出した情報、または、管理出力装置２３のディスプレイに表示する項目別関連情報データテーブル設定画面（図示せず）に従って、例えば管理システム２０の管理入力装置２４のキーボードから操作者により入力された情報を、管理装置ＤＢ２１に格納されたプログラムに従い、管理装置サーバ２２により、管理装置ＤＢ２１上に格納するものとする。また、項目別関連情報データテーブル設定画面（図示せず）は、項目別関連情報データテーブル９０と同一形式を有するものとする。さらに、必要に応じて、項目別関連情報データテーブル９０の内容に従った項目別関連情報データテーブル表示画面（図示せず）を、例えば管理システム２０の管理出力装置２３に表示するものとする。
【００５４】
次に、項目別関連情報データテーブル９０の各欄に格納する、情報について説明するが、項目別関連情報データテーブル９０は、基本的に音楽情報管理データテーブル８０と類似の形態を有している。まず、対象となる情報が新規かどうか判断し、新規の場合には、新規に項目別関連情報データテーブル９０を作成することとする。まず、管理項目欄９１には、対象項目であることを示す、例えば「アーティスト名：○×」という情報を格納する。さらに、管理欄９２の項目欄９２１には「項目」、詳細欄９２２には「詳細」という情報を、それぞれ格納する。次に具体的な検索内容として、オリジナル管理コード欄９３００１には、例えば該当するアーティストが歌っている曲に関する著作権を管理するデータベースの管理コードがＧＢＪＰ−ＮＶ０−０９−３４８７６であった場合、例えば「ＧＢＪＰ−ＮＶ０−０９−３４８７６、・・・」という情報を格納する。なお、カラオケ情報管理データテーブル８０のオリジナル管理コード欄８３００１には、基本的に１つの管理コードを格納するが、項目別関連情報データテーブル９０のオリジナル管理コード欄９３００１には、例えばアーティスト○×を、前記最優先歌手とするカラオケ情報管理データテーブル８０のオリジナル管理コードをすべて格納するが、該当する管理コードは、著作権者を管理するデータベース等によることは、カラオケ情報管理データテーブル８０と同様である。次に、関連管理コード欄９３００２には、オリジナル管理コード欄９３００１に格納したコードのデータベースに従うデータベースにおける、該当するカラオケに関するデータベース、例えば録音原盤を管理するデータベース等におけるコードをすべて格納することとし、例えば「ＧＢＪＰ−ＩＹ０−１０−１２３４５、・・・」という情報を格納する。さらに、アーティスト名欄９３００３には、該当するアーティストが改名等により異なった名前を名乗ったことのある場合等には、アーティスト名として、例えば「凸凹、△○□、・・・」という情報を格納する。以下同様に、作詞者名欄８３００４には「ＡＢＣＤ、・・・」、作曲者欄８３００５には「ＥＦＧＨ、・・・」という、該当する情報を格納する。なお、項目別関連情報データテーブル９０に関する各情報格納処理の詳細は、顧客管理データテーブル４０、顧客別検索内容データテーブル５０、カラオケ検索コード一覧７０、音楽情報管理データテーブル８０に準ずるものとする。
【００５５】
このように、項目別関連情報データテーブル９０により、例えばアーティスト○×を最優先歌手とするカラオケに関するすべての検索情報を格納することが可能となり、さらに、例えばネットワーク１０を介して、関連システム２０４に項目別関連情報データテーブル９０に関する情報を送信することにより、例えばアーティスト○×を最優先歌手とするカラオケに関する情報を共有することが可能となる。さらに、顧客より、例えばアーティスト○×に関する検索依頼があった場合、関連する関連システム２０４等を介して、データベースに問い合わせすることなく、的確な情報を顧客に送信することが可能となる。
【００５６】
なお、項目別関連情報データテーブル９０において、項目名をキーワードとして、関連情報を管理することについて説明したが、前記の通り、アーティストを項目名とした場合を例に説明したが、アーティスト以外の項目をキーワードとして、別途項目別関連情報データテーブルを設定して、関連情報を管理してもかまわない。あるいは、顧客別検索内容データテーブル５０等の情報をもとに、どのような音楽関連項目に検索が多いか、例えばランキングとして集計し、この結果情報を、別途データテーブル（図示せず）等に格納してもかまわない。また、検索を行った結果、対象が見つからなかった場合、この情報を、別途データテーブル（図示せず）等に格納し、またさらに、例えばＣＤ取扱会社による物販案内を、例えば検索画面データテーブル６０の内容に従った検索画面データテーブル表示画面（図示せず）に表示する。あるいは、顧客からの問い合わせ内容を、例えば、ネットワーク１０を介して関連システム２０４に送信し、関連企業に情報の提供を行ってもかまわない。
【００５７】
以上、本願の説明を行ったが、前記説明において、顧客として個人を中心に説明しているが、システムとしては個人ユーザである顧客であっても、例えば、販売業、出版業、ファッション業界、飲食店業、サービス業等の企業体であっても、顧客システムを有していれば、いずれであってもかまわない。その場合、企業体顧客に関し管理番号体系を別途設定して管理してもかまわない。さらに、個人顧客と同様に、各企業体から情報を収集するとともに、各企業体へ情報を発信してもかまわない。
【００５８】
また、本願説明においては、言語に関しては特に言及していないが、例えば顧客システム３０で使用している言語により、例えば表示する言語体系を変更してもかまわない。また、使用する言語が多岐にわたる場合、各言語により表記されたアーティスト名、作詞者名等の各項目を、例えば管理システム２０により日本語等、本願で使用している言語に変換することにより、本願によるシステムを機能させることができる。さらに、前記言語変換に関し、例えば多国語間との対応表（図示せず）を作成し、この対応表により、各データテーブル等を作成してもかまわない。最終的に原曲著作権管理システム２０１、原盤権管理システム２０２、関連システム２０４等に構築されたデータベース等のアクセスすることにより、求める情報を顧客に提供することができる。
【００５９】
このように、本願システムにより、例えば１つの画面から展開して、容易に、例えば、楽曲、ミュージックビデオ（以下、ＭＶと省略）、カラオケ取扱楽曲、カラオケ店舗、リリース関連、ランキング、ジャンル別の楽曲紹介等に関する音楽情報全般に係る情報提供を可能とするとともに、情報の伴う、カラオケ音源、ＣＤ、ＤＶＤ、書籍、楽譜、楽器、衣装、宝飾、演奏会チケット、旅行、外食等の物販を行うことを可能とする。
【００６０】
また、管理システム２０、顧客システム３０、原曲著作権管理システム２０１、原盤権管理システム２０２、関連システム２０４等をネットワーク１０を介して連携することにより、各コンテンツに関する、カラオケ、楽曲、ＭＶ、発売スケジュール、ライブ、ランキング等の情報の管理を可能とする。
【００６１】
さらに、情報を検索する顧客に対し、各種音楽情報として、楽曲全般、ＭＶ提供、販売、カラオケ楽曲等の情報を提供するとともに、情報検索に関する情報を、例えば管理システム２０により収集することを可能とする。また、リワード広告等の機能により、さらなる情報交換を行う。また、このリワード広告等に関する課金処理等を、例えばＮＦＣによって行ってもかまわない。
【００６２】
一方、顧客システム３０により、カラオケ店舗、ＣＤショップ、レンタル店舗、各種クラブ、ダンスフロア、また、服飾店舗等、さまざまな店舗および／もしくは仮想的な店舗へ、各種音楽情報、楽曲、ＭＶ提供、販売、カラオケ楽曲等の情報を、例えば管理システム２０を経由して提供することを可能とするだけでなく、さらに、前記情報提供に伴い、各店舗からの情報を、管理システム２０側で収集可能となる。また、店舗等におけるサイネージ広告等を、例えば管理システム２０から情報を提供してもかわない。
【００６３】
以上、音楽に関する各種情報を、総合的にその関連を判断する本願により、広範な音楽に関する情報を取り扱うサイトの管理システムを提供することが可能となる。
【産業上の利用可能性】
【００６４】
本願により、音楽関係の情報に関するサイト以外の、各業界においても、適用可能である。
【符号の説明】
【００６５】
１０  ・・・ネットワーク
２０  ・・・管理システム
３０  ・・・顧客システム
４０  ・・・顧客管理データテーブル
５０  ・・・顧客別検索内容データテーブル
６０  ・・・検索画面データテーブル
７０  ・・・カラオケ検索コード一覧
８０  ・・・カラオケ情報管理データテーブル
９０  ・・・項目別関連情報データテーブル
１００  ・・・マクロ音楽サイトシステム
１００１  ・・・音楽総合ポータルサイト管理システム
１００２  ・・・コンテンツ管理システム群
１００３１  ・・・ユーザ対応システム
１００３２  ・・・リアル店舗対応システム
１００３３  ・・・バーチャル対応システム
【図１】
2015201191.tif 000003
【図２】
2015201191.tif 000004
【図３】
2015201191.tif 000005
【図４】
2015201191.tif 000006
【図５】
2015201191.tif 000007
【図６】
2015201191.tif 000008
【図７】
2015201191.tif 000009
【図８】
2015201191.tif 000010
【図９】
2015201191.tif 000011
【図１０】
2015201191.tif 000012